(57)【要約】【課題】作業者がエレベータを休止させる際に、ある指定された認証コードを用いてエレベータと無線で通信することで、かご内操作盤の休止スイッチを使用することなくエレベータを休止させることを可能としたエレベータの休止作業認証システムを提供する。【解決手段】作業員が保有する携帯電話１０１により入力される休止作業の認証を行う休止作業認証コンピュータ１０４が、該携帯電話および認証した休止作業場所に対応するエレベータかご１１３の制御盤１１１に認証コードを与え、携帯電話から休止作業が行われるエレベータかごへブルートゥース機能１０２，１１４を介して認証コードが送られ、制御盤が休止作業認証コンピュータから与えられた認証コードとエレベータかごから得られた認証コードが一致した時に該エレベータかごを休止モードにする。【選択図】　　　　図１
2004099301.tif 000002
【特許請求の範囲】
【請求項１】
作業員が保有する携帯電話により入力される休止作業の認証を行う休止作業認証コンピュータが、該携帯電話および認証した休止作業場所に対応するエレベータかごの制御盤に認証コードを与え、前記携帯電話から休止作業が行われるエレベータかごへブルートゥース機能を介して認証コードが送られ、前記制御盤が前記休止作業認証コンピュータから与えられた認証コードとエレベータかごから得られた認証コードが一致した時に該エレベータかごを休止モードにすることを特徴とするエレベータの休止作業認証システム。
【請求項２】
前記休止作業認証コンピュータが前記認証コードと共に前記携帯電話から入力された休止作業号機、作業時間帯を前記制御盤に設定し、前記制御盤が該作業時間帯になると該号機のエレベータかごのブルートゥース機能を有効にすることを特徴とする請求項１に記載のエレベータの休止作業認証システム。
【請求項３】
前記制御盤が、他の階で呼びが発生した時に、群管理エレベータの場合には該呼びを他のエレベータかごに振り分け、エレベータかごが１台の場合にはエレベータかごのブルートゥース機能を介して前記携帯電話に休止作業を中止させるための注意メッセージを送ることを特徴とする請求項１に記載のエレベータの休止作業認証システム。
【発明の詳細な説明】
【０００１】
【発明の属する技術分野】
この発明は、エレベータの制御システムに関し、特に作業者等がエレベータを休止させる際に、かご内操作盤の休止スイッチを使用することなくエレベータを休止させることができるエレベータの休止作業認証システムに関する。
【０００２】
【従来の技術】
引越しあるいはかご内の清掃を行うなど、長時間エレベータを休止させる場合、従来の技術ではかご内操作盤を開け、休止スイッチを操作しなければならないが、この作業には操作盤用の鍵の貸し出しが発生する。また、かご内操作盤の休止スイッチの操作間違いが懸念される。さらに、休止中には他階で呼びを作ることができず、他の利用者がエレベータを利用できない状況が発生する。
【０００３】
図５は従来のエレベータ休止手順をフローチャートで示したものである。ステップＳ５０１において、作業者はエレベータかご内操作盤の鍵の有無を確認する。鍵を持っていない場合、ステップＳ５０２において、鍵の借用が可能か否かを確認する。借用が可能な場合、ステップＳ５０３に移り、鍵を借用する。その後、ステップＳ５０５において操作盤の蓋を開け、ステップＳ５０６においてかご内操作盤の「運転−休止スイッチ」を休止側にし、作業を開始する。
【０００４】
一方、ステップＳ５０２において、鍵の借用が不可能な場合には、作業者はステップＳ５０４にて休止スイッチ以外の方法で、例えばセーフティーシュー（扉の先端に設けられて扉が閉まる時に扉より先に障害物に当たることでこれを感知し扉閉を止めて扉開させるようにするもの）を押えてエレベータの扉が閉まらない、ひいてはかごを停止させた状態にして、作業を開始する必要がある。
【０００５】
【発明が解決しようとする課題】
しかしながら従来のように、扉が閉まらないようにするために、セーフティーシューを押えてしまうとエレベータの監視装置が異常状態発生としてエレベータ保守会社に通報し、エレベータ保守員が出動してしまうという問題点があった。また、かご内操作盤の「運転−休止スイッチ」により一度休止させてしまうと他階でのかごの呼び状況を判断する方法が無く、他階での利用者がエレベータを利用できないという問題点があった。
【０００６】
この発明は上記の課題を解消するためになされたもので、作業者がエレベータを休止させる際に、ある指定された認証コードを用いてエレベータと無線で通信することで、かご内操作盤の休止スイッチを使用することなくエレベータを休止させることを可能としたエレベータの休止作業認証システムを提供することを目的とする。
【０００７】
【課題を解決するための手段】
上記の目的に鑑み、この発明は、作業員が保有する携帯電話により入力される休止作業の認証を行う休止作業認証コンピュータが、該携帯電話および認証した休止作業場所に対応するエレベータかごの制御盤に認証コードを与え、前記携帯電話から休止作業が行われるエレベータかごへブルートゥース機能を介して認証コードが送られ、前記制御盤が前記休止作業認証コンピュータから与えられた認証コードとエレベータかごから得られた認証コードが一致した時に該エレベータかごを休止モードにすることを特徴とするエレベータの休止作業認証システムにある。
【０００８】
また、前記休止作業認証コンピュータが前記認証コードと共に前記携帯電話から入力された休止作業号機、作業時間帯を前記制御盤に設定し、前記制御盤が該作業時間帯になると該号機のエレベータかごのブルートゥース機能を有効にすることを特徴とする。
【０００９】
また、前記制御盤が、他の階で呼びが発生した時に、群管理エレベータの場合には該呼びを他のエレベータかごに振り分け、エレベータかごが１台の場合にはエレベータかごのブルートゥース機能を介して前記携帯電話に休止作業を中止させるための注意メッセージを送ることを特徴とする。
【００１０】
【発明の実施の形態】
この発明はエレベータの休止作業を認証するコンピュータと、かごにブルートゥース機能を搭載させ、遠隔監視装置を取り付けたエレベータによって構成されたシステムを使用するので、休止スイッチを操作することなくエレベータを休止させることができる。また、休止作業中の呼びを禁止しないので、他の利用者がエレベータを利用できない状況も発生しない。これにより、鍵の貸し借りが発生しない、スイッチを操作しないので、操作間違いが発生しない、さらに、他の利用者に不便さを感じさせることもない。
【００１１】
実施の形態１．
図１は本発明の一実施の形態によるエレベータの休止作業認証システムの構成を示す図である。このシステムは作業員が保有する携帯電話１０１、エレベータの休止作業を認証する休止作業認証コンピュータ１０４、この休止作業認証コンピュータ１０４と遠隔監視装置１０９を介して接続したエレベータの制御盤１１１、および少なくとも１つのエレベータかご１１３で構成される。
【００１２】
携帯電話１０１は通常の機能に加え、ブルートゥースによりエレベータかご１１３と情報伝達ができるブルートゥース機能１０２、ブラウザ機能１０３が搭載されている。休止作業認証コンピュータ１０４には入力情報処理部１０５があり、携帯電話１０１がアクセス時に送信する携帯電話番号と入力したアクセスナンバ（健物番号、号機）が、携帯電話番号記憶部１０７に登録されている番号かどうか、建物情報記憶部１０８に登録されている番号かをそれぞれ比較する。
【００１３】
エレベータの制御盤１１１は、遠隔監視装置１０９および休止作業認証コンピュータ１０４のそれぞれの送受信装置１１０，１０６を介して休止作業認証コンピュータ１０４から認証コード（例えば携帯電話番号）と作業開始時間・作業終了時間（これも携帯電話１０１から休止作業認証コンピュータ１０４に入力されたもの）を受信すると、運転制御部１１２よりその時間内だけかごエレベータ１１３に対しブルートゥース機能１１４を有効とするよう制御をおこなう。エレベータかご１１３には通常の機能に加え、携帯電話と情報伝達ができるブルートゥース機能１１４が搭載されており、携帯電話１０１からのブルートゥース信号を受信すると制御盤１１１にその認証コード（例えば携帯電話番号）を送信する。
【００１４】
図２は図１の構成において作業者が休止作業認証コンピュータ１０４に対し、エレベータ停止作業の登録を行う際の手順を示すフローチャートである。まず、作業者はステップＳ２０１において、携帯電話１０１にて休止作業認証コンピュータ１０４にアクセス（通信）する。休止作業認証コンピュータ１０４の入力情報処理部１０５はステップＳ２０２において、アクセスしてきた携帯電話１０１の電話番号は携帯電話番号記憶部１０７に登録されているものか否かを判断し、登録されていない場合ステップＳ２０３にて「登録されていない番号の為、認証できない」とのメッセージを携帯電話１０１に送信する。
【００１５】
登録されている場合、ステップＳ２０４において休止作業認証コンピュータ１０４は携帯電話１０１に対し、認証ＯＫを送信し、次の手順へ進む。作業者はステップＳ２０５にて、作業を行うエレベータのアクセスナンバ（建物番号と号機）を入力する。休止作業認証コンピュータ１０４の入力情報処理部１０５はステップＳ２０６にて入力されたエレベータのアクセスナンバが建物情報記憶部１０８に登録されている番号か否かを判断する。登録されていない場合、ステップＳ２０７にて「正しいアクセスナンバを入力してください」とのメッセージを携帯電話１０１に送信する。アクセスナンバが登録されている場合、作業者はステップＳ２０８にて作業開始・終了時間を入力し、ステップＳ２０９にて認証終了となる。
【００１６】
以上の手順により、休止作業の認証が行われ、ステップＳ２１０にて休止作業認証コンピュータ１０４は認証コード（例えば携帯電話番号）を携帯電話１０１にセットする。また、ステップＳ２１１にて休止作業認証コンピュータ１０４はステップＳ２０５にて入力されたアクセスナンバのエレベータにアクセスし、休止作業可能である認証コードと作業時間（作業開始・終了時間）をセットする。実際にはアクセスナンバに該当するエレベータ（かご）の制御盤の運転制御部にアクセスナンバを含めてセットする。
【００１７】
図３は図１の構成においてエレベータかごが休止モード状態になるまでの動作の流れを示すフローチャートである。休止作業可能である認証コードと作業時間をセットされたエレベータの制御盤１１１はステップＳ３０１にて休止作業開始時間かどうかを判断し、セットされた時間帯になった場合、ステップＳ３０２にてブルートゥース機能を有効とするよう運転制御部１１２からエレベータかご１１３に指令を出力する。指令を受けたかご１１３はステップＳ３０３にてブルートゥースの信号を受信待機する。
【００１８】
ブルートゥースの信号を受信するとステップＳ３０４にて認証コード（例えば携帯電話番号）を制御盤１１１へ送信する。認証コードを受信した制御盤１１１はステップＳ３０５にて、休止作業認証コンピュータ１０４から登録された認証コードかどうかを判断し、登録されている認証コードの場合、ステップＳ３０６にて運転制御部１１２はエレベータを休止モードヘ移行させるようエレベータかご１１３に指令を出力する。このようにかご操作盤の鍵の借用も、休止スイッチの操作も発生せずにエレベータを休止させることができる。
【００１９】
図４は図１の構成において休止モード中に他階にて呼びができた場合の動作のフローチャートである。ステップＳ４０１にて他階に呼びができた時、ステップＳ４０２にて１Ｃａｒか群管理エレベータかを判断して、群管理エレベータの場合、運転制御部１１２はステップＳ４０３にて呼びを他のエレベータかごに振り分ける。１Ｃａｒの場合、制御盤１１１はステップＳ４０４にて他の階で呼びができていることをかご１１３を介してブルートゥース機能１１４にて携帯電話１０１に送信する。ステップＳ４０５にて作業者により注意メッセージ（例えば、「一度エレベータから降りてください、エレベータを通常運転モードにします。」、「認証コードの発信を停止して下さい」）に応じてエレベータの休止モードが解除されると、運転制御部１１２はステップＳ４０６にて呼びのできた階にエレベータを運転させる。このようにして、休止モード中でも他階の乗客もエレベータを利用することが可能となる。
【００２０】
【発明の効果】
以上のように本発明によれば、作業員が保有する携帯電話により入力される休止作業の認証を行う休止作業認証コンピュータが、該携帯電話および認証した休止作業場所に対応するエレベータかごの制御盤に認証コードを与え、前記携帯電話から休止作業が行われるエレベータかごへブルートゥース機能を介して認証コードが送られ、前記制御盤が前記休止作業認証コンピュータから与えられた認証コードとエレベータかごから得られた認証コードが一致した時に該エレベータかごを休止モードにすることを特徴とするエレベータの休止作業認証システムとした。これにより、作業者がエレベータを休止させる際に、ある指定された認証コードを用いてエレベータと無線で通信することで、かご内操作盤の休止スイッチを使用することなくエレベータを休止させることを可能とし、鍵の貸し借りが発生しない、スイッチを操作しないので操作間違いが発生しない等の効果が得られる。
【００２１】
また、前記休止作業認証コンピュータが前記認証コードと共に前記携帯電話から入力された休止作業号機、作業時間帯を前記制御盤に設定し、前記制御盤が該作業時間帯になると該号機のエレベータかごのブルートゥース機能を有効にするようにしたので、必要な時にのみブルートゥース機能を有効にすることで誤認証の防止にもなる。
【００２２】
また、前記制御盤が、他の階で呼びが発生した時に、群管理エレベータの場合には該呼びを他のエレベータかごに振り分け、エレベータかごが１台の場合にはエレベータかごのブルートゥース機能を介して前記携帯電話に休止作業を中止させるための注意メッセージを送るようにしたので、休止作業中の呼びを禁止しないので、他の利用者がエレベータを利用できない状況も発生せず、他の利用者に不便さを感じさせることもない。
【図面の簡単な説明】
【図１】本発明の一実施の形態によるエレベータの休止作業認証システムの構成を示す図である。
【図２】図１の構成において作業者が休止作業認証コンピュータに対し、エレベータ停止作業の登録を行う際の手順を示すフローチャートである。
【図３】図１の構成においてエレベータかごが休止モード状態になるまでの動作の流れを示すフローチャートである。
【図４】図１の構成において休止モード中に他階にて呼びができた場合の動作のフローチャートである。
【図５】従来のエレベータ休止手順をフローチャートで示したものである。
【符号の説明】
１０１　携帯電話、１０２，１１４　ブルートゥース機能、１０３　ブラウザ機能、１０４　休止作業認証コンピュータ、１０５　入力情報処理部、１０６，１１０　送受信装置、１０７　携帯電話番号記憶部、１０８　建物情報記憶部、１０９　遠隔監視装置、１１１　制御盤、１１２　運転制御部、１１３　エレベータかご。
【図１】
2004099301.tif 000003
【図２】
2004099301.tif 000004
【図３】
2004099301.tif 000005
【図４】
2004099301.tif 000006
【図５】
2004099301.tif 000007